(57)【要約】【課題】粉塵を捕捉する能力の低下を抑制した集塵袋を提供する。【解決手段】一対のシート状部材２Ａ、２Ｂの周縁部同士を接合することで前面２と後面３とが重なる袋状に形成されて、集塵口が開口する集塵機内に収容され、集塵口に連結可能な粉塵吸引口が前面の一端寄りの位置に設けられて、集塵口から吸い込まれた粉塵を粉塵吸引口を通じて捕捉する集塵袋１であって、後面に、一端寄りの位置に対向する側からその反対側に延びる折り込み部６を少なくとも一つ形成して、集塵機内で折り込み部を後面の外側へ引くことで前面と後面との間を広げることを可能にした。【選択図】図３
2012095918.tif 000002
【特許請求の範囲】
【請求項１】
一対のシート状部材の周縁部同士を接合することで前面と後面とが重なる袋状に形成されて、集塵口が開口する集塵機内に収容され、前記集塵口に連結可能な粉塵吸引口が前記前面の一端寄りの位置に設けられて、前記集塵口から吸い込まれた粉塵を前記粉塵吸引口を通じて捕捉する集塵袋であって、
前記後面に、前記一端寄りの位置に対向する側からその反対側に延びる折り込み部を少なくとも一つ形成して、前記集塵機内で前記折り込み部を前記後面の外側へ引くことで前記前面と前記後面との間を広げることを可能にしたことを特徴とする集塵袋。
【請求項２】
前記折り込み部が前記粉塵吸引口の真後を通ることを特徴とする請求項１に記載の集塵袋。
【請求項３】
前記折り込み部を前記後面に複数形成したことを特徴とする請求項１又は２に記載の集塵袋。
【発明の詳細な説明】
【技術分野】
【０００１】
この発明は、集塵機内に収容されて集塵機の集塵口から吸い込まれた粉塵を捕捉する集塵袋に関する。
【背景技術】
【０００２】
特許文献１には、電気掃除機に代表される集塵機内に配設されて、集塵機の集塵口から空気と共に吸い込まれた粉塵を捕捉する集塵袋が開示されている。特許文献１の集塵袋は通気性を有する紙袋からなり、該集塵袋は折り畳まれて集塵機内に配設されている。この集塵袋は、集塵口から空気が吸い込まれると空気圧によって折り畳まれた状態から膨らむようになっている。
【先行技術文献】
【特許文献】
【０００３】
【特許文献１】特開２００１−１２８９０７号公報
【発明の概要】
【発明が解決しようとする課題】
【０００４】
ところで、近年は、目詰まりを防止しながら機械的強度を高めるために、不織布を用いて集塵袋を形成することもなされている。しかしながら、不織布は紙に比べると柔軟性に乏しいため、不織布製の集塵袋は紙製の集塵袋に比べて膨らみ難いという問題があった。その結果、集塵袋が粉塵を捕捉する空間が狭まることに伴って、集塵袋が粉塵を捕捉する能力が低下するおそれがあった。
【０００５】
この発明は、このような状況に鑑み提案されたものであって、粉塵を捕捉する能力の低下を抑制した集塵袋を提供することを目的とする。
【課題を解決するための手段】
【０００６】
請求項１の発明に係る集塵袋は、一対のシート状部材の周縁部同士を接合することで前面と後面とが重なる袋状に形成されて、集塵口が開口する集塵機内に収容され、前記集塵口に連結可能な粉塵吸引口が前記前面の一端寄りの位置に設けられて、前記集塵口から吸い込まれた粉塵を前記粉塵吸引口を通じて捕捉する集塵袋であって、前記後面に、前記一端寄りの位置に対向する側からその反対側に延びる折り込み部を少なくとも一つ形成して、前記集塵機内で前記折り込み部を前記後面の外側へ引くことで前記前面と前記後面との間を広げることを可能にしたことを特徴とする。
【０００７】
請求項２の発明は、請求項１において、前記折り込み部が前記粉塵吸引口の真後を通ることを特徴とする。
【０００８】
請求項３の発明は、請求項１又は２において、前記折り込み部を前記後面に複数形成したことを特徴とする。
【発明の効果】
【０００９】
請求項１の発明に係る集塵袋によれば、折り込み部を集塵袋の後面の外側へ引いて集塵袋の前面と後面との間を広げることで、該集塵袋が粉塵を捕捉可能な空間を広げることができる。これにより、集塵袋が粉塵を捕捉する能力が低下することを抑制できる。
請求項２の発明によれば、折り込み部を用いて集塵袋の前面と後面との間を広げると、集塵機内において、粉塵吸引口の真後で粉塵を捕捉可能な空間を広げることができる。これにより、粉塵を粉塵吸引口から前記広げられた空間に入り込ませ易くして、集塵袋が粉塵を捕捉する能力が高まる。
請求項３の発明によれば、複数の折り込み部を用いて集塵機内で集塵袋の前面と後面との間を広げることで、一つの折り込み部を用いて前記前面と前記後面との間を広げる場合に比べて、粉塵を捕捉可能な空間をより広げることができる。これにより、集塵袋が粉塵を捕捉する能力がより高まる。
【図面の簡単な説明】
【００１０】
【図１】本発明の実施形態の集塵袋の前面側斜視図である。
【図２】同集塵袋の後面側斜視図である。
【図３】同集塵袋の部分拡大断面図である
【図４】集塵機に同集塵袋を収容した状態を示した図である。
【図５】（ａ）図は本発明の他の実施形態の集塵袋の部分拡大断面図、（ｂ）図はさらに他の実施形態の集塵袋の部分拡大断面図である。
【発明を実施するための形態】
【００１１】
本発明の実施形態を、図１ないし図５を参照しつつ説明する。集塵袋１は、図１及び図２に示すように、前面２を形成する第１のシート状部材２Ａと、後面３を形成する第２のシート状部材３Ａとを有する。集塵袋１は、第１のシート状部材２Ａと第２のシート状部材３Ａとを接合部４によって一体化して、前面２と後面３とが重なる平面視正方形の袋状体とされている。接合部４は、各シート状部材２Ａ、３Ａの周縁部同士がヒートシールによって貼り合わされることで形成されている。本実施形態では、各シート状部材２Ａ、３Ａが通気性を有する不織布によって構成されている。これにより、集塵袋１は、空気を通過させ粉塵を捕捉できる。なお、第１及び第２のシート状部材２Ａ、３Ａは本発明の一対のシート状部材の一例である。
【００１２】
図１に示すように、前面２には、その上縁寄りの位置に粉塵吸引口５が開口する。一方、図２及び図３に示すように、後面３には、第２のシート状部材３Ａが前面２（第１のシート状部材２Ａ）側へ断面が略三角形状の凹状となるように折り込まれることで折り込み部６が形成されている。本実施形態では、折り込み部６を後面３の上縁部から下縁部へ延びるように形成した。後面３の上縁部は、前記前面２の上縁寄りの位置に対向する側に当たる。さらに、図１及び図２から理解できるように、折り込み部６は粉塵吸引口５の真後を通るように後面３に形成されている。なお、後面３の上縁部は、本発明の前面の一端寄りの位置に対向する側の一例であり、後面３の下縁部は本発明の前記対向する側とは反対側の一例である。
【００１３】
図４には、集塵機１０に上記の集塵袋１を収容した例を示した。集塵機１０は、本体ユニット１１と、集塵ユニット１２とを備えている。本体ユニット１１は、集塵ユニット１２上に固定されている。本体ユニット１１には、集塵用モータや集塵ファン等が収容されている。集塵ユニット１２内には集塵袋１が収容されている。集塵ユニット１２の前面（図４の左側）には集塵口１３が開口する。
【００１４】
集塵ユニット１２内では、集塵口１３に吸引筒１４が接続されている。上記の粉塵吸引口５は、吸引筒１４と芯合わせして吸引筒１４に取り付けられている。これにより、粉塵吸引口５は、吸引筒１４を介して集塵口１３に連結される。吸引筒１４の終端部１４Ａは、集塵ユニット１２の内底面に向けてＲ形状を描くように湾曲加工されている。粉塵吸引口５を吸引筒１４に取り付けた状態では、前記終端部１４ＡのＲ形状部分が集塵袋１内に入り込んで後面３に当接すると共に、終端部１４Ａが集塵袋１内で開口する。集塵ユニット１２の外側では、集塵口１３に集塵ホース（図示せず。）が接続される。
【００１５】
次に、粉塵を集塵袋１に集塵する動作を説明する。粉塵を集塵袋１に集塵する動作を開始する前には、集塵袋１を粉塵を受け入れ可能な状態に整形する。本実施形態では、折り込み部６を、図３に示した略三角形状の凹状となるように折り込まれた状態から集塵ユニット１２内で後面３の外側へ引いて、後面３と前面２との間を広げることで集塵袋１を広げておく。これにより、集塵袋１が粉塵を捕捉可能な空間が広がる。これに伴って、粉塵を集塵袋１に十分に捕捉可能な状態になる。
【００１６】
粉塵を集塵するために上記の集塵用モータを運転させて集塵ファンを回転させる。これに伴って、外気が、上記の集塵ホース、集塵口１３、吸引筒１４、粉塵吸引口５を順次流通して集塵袋１に吸い込まれる。粉塵は、外気と共に集塵袋１に吸い込まれることで前記広がった空間に捕捉されて集塵される。
【００１７】
加えて本実施形態では、粉塵吸引口５を吸引筒１４に取り付けた状態で集塵ユニット１２内に集塵袋１が収容されたときは、折り込み部６が粉塵吸引口５の真後を通るように配置される。したがって、折り込み部６を、図３に示した前面２側へ折り込まれた状態から集塵ユニット１２内で後面３の外側へ引くことで、粉塵吸引口５の真後で後面３を前面２から離間させて集塵袋１を広げることができる。これにより、集塵袋１が粉塵を捕捉可能な空間が、粉塵吸引口５の真後に広がることになる。よって、集塵口１３から外気と共に吸引筒１４に吸い込まれた粉塵は、吸引筒１４に連結された粉塵吸引口５から前記広がった粉塵を捕捉可能な空間に入り込み易くなる。
【００１８】
図５の（ａ）図には、他の実施形態の集塵袋１Ａを示した。集塵袋１Ａは、上記の集塵袋１と同様に袋体状とされて集塵ユニット１２内に収容される。集塵袋１Ａでは、折り込み部６Ａを、後面３（第２のシート状部材３Ａ）の表面から膨出して下端を頂部とする逆三角形状となるように第２のシート状部材３Ａを折り込んで形成した。集塵袋１Ａについても、集塵袋１と同様に、集塵ユニット１２内で折り込み部６Ａを後面３の外側へ引いて、粉塵を捕捉可能な空間を広げることができる。
【００１９】
図５の（ｂ）図には、さらに他の実施形態の集塵袋１Ｂを示した。集塵袋１Ｂは、上記の集塵袋１、１Ａと同様に袋体状とされて集塵ユニット１２内に収容される。集塵袋１Ｂでは、２つの折り込み部６Ｂを、第２のシート状部材３Ａの表面を集塵袋１Ｂの一方向に折り返して後面３の表面から膨出して山状となるように形成した。本実施形態では、前記一方向を集塵袋１Ｂの正面視左方向（同（ｂ）図中の左方向）とした。集塵袋１Ｂについても、集塵ユニット１２内で２つの折り込み部６Ｂを後面３の外側へ引いて、粉塵を捕捉可能な空間を広げることができる。集塵袋１Ｂについては、２つの折り込み部６Ｂを後面３の外側へ引いて後面３の複数箇所を前面２から離間させることで、図３及び図５の（ａ）図の如く１つの折り込み部６、６Ａを後面３の外側へ引いて各集塵袋１、１Ａを広げる場合に比べて、粉塵を捕捉可能な空間をより広げることができる。
【００２０】
＜本実施形態の効果＞
本実施形態の集塵袋１（１Ａ、１Ｂ）では、上記の粉塵を集塵する動作で述べたように、折り込み部６（６Ａ、６Ｂ）を集塵ユニット１２内で後面３の外側へ引くことで、粉塵を捕捉可能な空間が広がる。これにより、集塵袋１（１Ａ、１Ｂ）では、粉塵を十分に捕捉可能な状態にして、粉塵を捕捉する能力が低下することを抑制できる。
【００２１】
また、粉塵を集塵する動作で述べたように、集塵ユニット１２内に集塵袋１（１Ａ、１Ｂ）が収容されたときは、折り込み部６が粉塵吸引口５の真後を通るように配置される。これにより、粉塵を集塵する動作で述べたように、集塵袋１（１Ａ、１Ｂ）が粉塵を捕捉可能な空間を、粉塵吸引口５の真後に広げることが可能になる。よって、集塵口１３から吸引筒１４を通じて吸い込ませた粉塵を、吸引筒１４に連結された粉塵吸引口５から前記広がった捕捉可能な空間に入り込ませ易くして、集塵袋１（１Ａ、１Ｂ）が粉塵を捕捉する能力が高まる。
【００２２】
さらに、集塵袋１Ｂでは、２つの折り込み部６Ｂを後面３の表面から膨出して山状となるように形成した。このため、上述した集塵袋１Ｂの説明で述べたように、１つの折り込み部６、６Ａを用いて各集塵袋１、１Ａの前面２と後面３との間を広げる場合に比べて、集塵袋１Ｂが粉塵を捕捉可能な空間をより広げることができる。これにより、集塵袋１Ｂが粉塵を捕捉する能力がより高まる。
【００２３】
本発明は、上述した実施形態に限定されるものではなく、発明の趣旨を逸脱しない範囲内において構成の一部を適宜変更して実施できる。例えば、上述した実施形態とは異なり、集塵袋１（１Ａ、１Ｂ）は、平面視正方形の袋体状に限らず平面視長方形等の袋体状にしてもよい。また、集塵袋１（１Ａ、１Ｂ）の接合部４は、ヒートシールに限らず接着剤等の適宜の接合手段を用いて形成してもよい。
【００２４】
さらに、折り込み部６（６Ａ、６Ｂ）は、後面３の上縁部から下縁部へ延びるように形成するものに限らず、例えば、前記上縁部から集塵袋１（１Ａ、１Ｂ）の中央寄りの内側と、前記下縁部から該中央寄りの内側との間を延びるように形成するものであってもよい。加えて、上述した実施形態では、折り込み部６（６Ａ、６Ｂ）は、粉塵吸引口５の真後を通るように後面３に形成したが、これに限らず、折り込み部６（６Ａ、６Ｂ）は、前記真後から前記後面３の左側又は右側にずれた位置に形成してもよい。さらに加えて、折り込み部６、６Ａ（図３、図５の（ａ）図参照。）は後面３に２つ以上形成されるものでもよいし、折り込み部６Ｂ（図５の（ｂ）図参照。）は、後面３に３つ以上形成されたり集塵袋１Ｂの正面視右方向へ折り返して形成されるものであってもよい。
【符号の説明】
【００２５】
１（１Ａ、１Ｂ）・・集塵袋、２・・集塵袋の前面、２Ａ・・第１のシート状部材、３・・集塵袋の後面、３Ａ・・第２のシート状部材、４・・接合部、５・・粉塵吸引口、６（６Ａ、６Ｂ）・・折り込み部、１０・・集塵機、１３・・集塵機の集塵口。
【図１】
2012095918.tif 000003
【図２】
2012095918.tif 000004
【図３】
2012095918.tif 000005
【図４】
2012095918.tif 000006
【図５】
2012095918.tif 000007